(57)【要約】【課題】無駄な処理を排除して消費電力を低減できる構造の携帯通信端末を提供する。【解決手段】複数の通信デバイス２０１〜２０３ごとに低速クロックのカウントにより無線通信の開始タイミングが検出され、複数の通信デバイス２０１〜２０３ごとに高速クロックにより無線通信が実行される。高速クロックによる低速クロックのクロック誤差の計測を複数の通信デバイス２０１〜２０３で時分割に実行する。このため、着呼確認などの無線通信は完了しているのに、クロック誤差を検出するために高速クロックの発生を継続する必要がないので、消費電力を低減することができる。【選択図】図１
2008166961.tif 000002
【特許請求の範囲】
【請求項１】
複数形式の無線通信を複数の通信デバイスにより個々に実行する携帯通信端末であって、
複数の前記通信デバイスごとに低速クロックを常時発生する低速発生部と、
複数の前記通信デバイスごとに前記低速クロックを常時カウントする低速カウンタ部と、
複数の前記通信デバイスごとに前記低速クロックのカウント値を所定値と比較することで前記無線通信の開始タイミングを検出するタイミング検出部と、
複数の前記通信デバイスごとに前記無線通信の実行時に高速クロックを発生させる高速発生部と、
複数の前記通信デバイスごとに発生された前記高速クロックにより前記無線通信を実行する無線実行部と、
複数の前記通信デバイスの少なくとも一個で前記無線通信の実行時に前記高速クロックをカウントする高速カウンタ部と、
カウントされた前記高速クロックによりカウントされた前記低速クロックのクロック誤差を計測する誤差計測部と、
計測された前記クロック誤差により複数の前記通信デバイスごとに前記タイミング検出部の所定値を補正するカウント補正部と、を有し、
前記クロック誤差を計測するための前記高速クロックと前記低速クロックとのカウントが複数の前記通信デバイスで時分割に実行される携帯通信端末。
【請求項２】
前記クロック誤差を計測するためのカウント途中の前記高速クロックと前記低速クロックとのカウント値を保持する誤差保持部を、さらに有し、
複数の前記通信デバイスは、前記無線通信の完了時にカウント途中の前記カウント値を前記誤差保持部に保持させ、前記無線通信の開始時に前記誤差保持部から前記カウント値を取得し、
前記低速カウンタ部は、取得された前記低速クロックのカウント値から前記クロック誤差を計測するための前記低速クロックのカウントを開始し、
前記高速カウンタ部は、取得された前記高速クロックのカウント値から前記クロック誤差を計測するための前記高速クロックのカウントを開始する請求項１に記載の携帯通信端末。
【請求項３】
前記誤差保持部は、計測された前記クロック誤差も保持し、
前記カウント補正部は、保持された前記クロック誤差により複数の前記通信デバイスごとに前記タイミング検出部の所定値を補正する請求項１または２に記載の携帯通信端末。
【請求項４】
前記クロック誤差の計測のための前記低速カウンタ部および前記高速カウンタ部によるカウントと前記誤差計測部による計測と前記カウント補正部による補正と前記誤差保持部による保持とを所定タイミングでリセットする誤差リセット部を、さらに有する請求項３に記載の携帯通信端末。
【請求項５】
複数の前記通信デバイスは、前記低速クロックの周波数が共通しているとともに前記高速クロックの周波数が共通している請求項１ないし４の何れか一項に記載の携帯通信端末。
【発明の詳細な説明】
【技術分野】
【０００１】
本発明は、通信デバイスにより無線通信を実行する携帯通信端末に関し、特に、複数形式の無線通信を複数の通信デバイスにより個々に実行する携帯通信端末に関する。
【背景技術】
【０００２】
現在、いわゆる携帯電話端末などの携帯通信端末には、複数形式の無線通信を複数の通信デバイスにより個々に実行する製品がある。このような携帯通信端末を図３および図４を参照して以下に説明する。
【０００３】
ここで一従来例として例示する携帯通信端末１００は、図３に示すように、複数の通信デバイス１１１〜１１３を有する。これらの通信デバイス１１１〜１１３は、例えば、ＧＳＭ(Global System for Mobile Communications)ユニット、ＰＨＳ(Personal Handy-phone System：登録商標)ユニット、ブルートゥースユニット、等からなる。
【０００４】
このような通信デバイス１１１〜１１３は、低速クロックを常時発生する低速発生部１２１、低速クロックを常時カウントする低速カウンタ部１２２、低速クロックのカウント値を所定値と比較することで無線通信の開始タイミングを検出するタイミング検出部(図示せず)、複数の通信デバイス１１１〜１１３ごとに無線通信の実行時に高速クロックを発生させる高速発生部１２３、無線通信の実行時に高速クロックをカウントする高速カウンタ部１２４、発生された高速クロックにより無線通信を実行する無線実行部(図示せず)、無線通信の実行時にカウントされた高速クロックによりカウントされた低速クロックのクロック誤差を計測する誤差計測部１２５、計測されたクロック誤差を保持する誤差保持部１２６、保持されたクロック誤差により複数の通信デバイス１１１〜１１３ごとにタイミング検出部の所定値を補正するカウント補正部(図示せず)、を各々有する。
【０００５】
上述のような携帯通信端末１００では、着呼の有無確認や位置情報の送信などのため、図４に示すように、複数の通信デバイス１１１〜１１３が定期的に無線通信Ｃを実行する。しかし、携帯通信端末１００では、必然的に電源が内蔵されているので、消費電力を低減する必要がある。
【０００６】
そこで、上述のような携帯通信端末１００では、通信デバイス１１１〜１１３は、通常は低速クロックのみ発生させており、その低速クロックをカウントすることにより、上述の無線通信の開始タイミングを検出している。そして、開始タイミングが検出されて無線通信を実行するときのみ高速クロックを発生させることで、消費電力を低減している。
【０００７】
ただし、携帯通信端末１００では、温度変化などの要因のために低速クロックや高速クロックの周波数が変動する。この変動は低周波数の低速クロックほど顕著であり、動作への影響も甚大である。
【０００８】
そこで、現在の携帯通信端末１００では、無線通信を実行するときに高速クロックと低速クロックとを同時にカウントすることにより、高速クロックで低速クロックのクロック誤差を検出している。
【０００９】
そして、この検出されたクロック誤差により、無線通信の開始タイミングを検出するためにカウントする低速クロックの所定値を補正している。このため、温度変化などのために低速クロックの周波数が変動しても、これを補償することができる。
【００１０】
なお、上述のような低速クロックや高速クロックは、例えば、複数の通信デバイス１１１〜１１３で共通する場合も相違する場合もある。現在、上述のような携帯無線端末として各種の提案がある(例えば、特許文献１〜５参照)。
【特許文献１】特開２００３−０７８４２７号公報
【特許文献２】特開２０００−０１３２７４号公報
【特許文献３】特開２００２−３５３８７５号公報
【特許文献４】特開２００３−１９４９７３号公報
【特許文献５】特開２００５−０７３１０２号公報
【発明の開示】
【発明が解決しようとする課題】
【００１１】
しかし、高速クロックにより低速クロックのクロック誤差を良好な精度で検出するためには所定時間が必要である。そして、このクロック誤差の検出時間が無線通信の所用時間を超過することがある。
【００１２】
この場合、着呼確認などの無線通信は完了しているのに、クロック誤差を検出するために高速クロックの発生を継続することになる。このため、携帯通信端末１００の処理負担が増大するとともに消費電力も増加している。
【００１３】
本発明は上述のような課題に鑑みてなされたものであり、無駄な処理を排除して消費電力を低減することができる構造の携帯通信端末を提供するものである。
【課題を解決するための手段】
【００１４】
本発明の携帯通信端末は、複数形式の無線通信を複数の通信デバイスにより個々に実行する携帯通信端末であって、複数の通信デバイスごとに低速クロックを常時発生する低速発生部と、複数の通信デバイスごとに低速クロックを常時カウントする低速カウンタ部と、複数の通信デバイスごとに低速クロックのカウント値を所定値と比較することで無線通信の開始タイミングを検出するタイミング検出部と、複数の通信デバイスごとに無線通信の実行時に高速クロックを発生させる高速発生部と、複数の通信デバイスごとに発生された高速クロックにより無線通信を実行する無線実行部と、複数の通信デバイスの少なくとも一個で無線通信の実行時に高速クロックをカウントする高速カウンタ部と、カウントされた高速クロックによりカウントされた低速クロックのクロック誤差を計測する誤差計測部と、計測されたクロック誤差により複数の通信デバイスごとにタイミング検出部の所定値を補正するカウント補正部と、を有し、クロック誤差を計測するための高速クロックと低速クロックとのカウントが複数の通信デバイスで時分割に実行される。
【００１５】
従って、本発明の携帯通信端末では、従来と同様に、複数の通信デバイスごとに低速クロックのカウントにより無線通信の開始タイミングが検出され、複数の通信デバイスごとに高速クロックにより無線通信が実行される。ただし、従来とは相違して、高速クロックによる低速クロックのクロック誤差の計測は、複数の通信デバイスで時分割に実行される。このため、着呼確認などの無線通信は完了しているのに、クロック誤差を検出するために高速クロックの発生を継続する必要がない。
【００１６】
なお、本発明の各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００１７】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【発明の効果】
【００１８】
本発明の携帯通信端末では、高速クロックによる低速クロックのクロック誤差の計測は、複数の通信デバイスで時分割に実行される。このため、着呼確認などの無線通信は完了しているのに、クロック誤差を検出するために高速クロックの発生を継続する必要がないので、消費電力を低減することができる。
【発明を実施するための最良の形態】
【００１９】
本発明の実施の一形態を図１および図２を参照して以下に説明する。ただし、本実施の形態に関して前述した一従来例と同一の部分は、同一の名称を使用して詳細な説明は省略する。本実施の形態の携帯通信端末２００は、複数形式の無線通信を複数の通信デバイス２０１〜２０３により個々に実行する。
【００２０】
このため、携帯通信端末２００は、図１に示すように、複数の通信デバイス２０１〜２０３ごとに低速クロックを常時発生する低速発生部２１１と、複数の通信デバイス２０１〜２０３ごとに低速クロックを常時カウントする低速カウンタ部２１２と、複数の通信デバイス２０１〜２０３ごとに低速クロックのカウント値を所定値と比較することで無線通信Ｃの開始タイミングを検出するタイミング検出部(図示せず)と、複数の通信デバイス２０１〜２０３ごとに無線通信Ｃの実行時に高速クロックを発生させる高速発生部２１３と、複数の通信デバイス２０１〜２０３ごとに発生された高速クロックにより無線通信Ｃを実行する無線実行部(図示せず)と、複数の通信デバイス２０１〜２０３の少なくとも一個で無線通信Ｃの実行時に高速クロックをカウントする高速カウンタ部２１４と、カウントされた高速クロックによりカウントされた低速クロックのクロック誤差を計測する誤差計測部２１５と、計測されたクロック誤差により複数の通信デバイス２０１〜２０３ごとにタイミング検出部の所定値を補正するカウント補正部(図示せず)と、を有する。
【００２１】
そして、本実施の形態の携帯通信端末２００は、クロック誤差を計測するための高速クロックと低速クロックとのカウントが複数の通信デバイス２０１〜２０３で時分割に実行される。
【００２２】
より詳細には、本実施の形態の携帯通信端末２００は、クロック誤差を計測するためのカウント途中の高速クロックと低速クロックとのカウント値を保持する誤差保持部２２１を、さらに有する。
【００２３】
複数の通信デバイス２０１〜２０３は、無線通信Ｃの完了時にカウント途中のカウント値を誤差保持部２２１に保持させ、無線通信Ｃの開始時に誤差保持部２２１からカウント値を取得する。
【００２４】
低速カウンタ部２１２は、取得された低速クロックのカウント値からクロック誤差を計測するための低速クロックのカウントを開始し、高速カウンタ部２１４は、取得された高速クロックのカウント値からクロック誤差を計測するための高速クロックのカウントを開始する。
【００２５】
なお、誤差保持部２２１は、計測されたクロック誤差も保持し、カウント補正部は、保持されたクロック誤差により複数の通信デバイス２０１〜２０３ごとにタイミング検出部の所定値を補正する。複数の通信デバイス２０１〜２０３は、低速クロックの周波数が共通しているとともに高速クロックの周波数が共通している。
【００２６】
上述のような構成において、本実施の形態の携帯通信端末２００では、従来と同様に、図２に示すように、複数の通信デバイス２０１〜２０３ごとに低速クロックのカウントにより無線通信Ｃの開始タイミングが検出され、複数の通信デバイス２０１〜２０３ごとに高速クロックにより無線通信Ｃが実行される。
【００２７】
ただし、本実施の形態の携帯通信端末２００では、従来とは相違して、高速クロックによる低速クロックのクロック誤差の計測は、複数の通信デバイス２０１〜２０３で時分割に実行される。
【００２８】
より具体的には、複数の通信デバイス２０１〜２０３は、所用時間が相違する所定の無線通信Ｃを定期的に実行する。このように無線通信Ｃが実行されるときにクロック誤差が計測されるが、この計測に必要な所定時間が無線通信Ｃの所用時間より長時間の場合がある。
【００２９】
このような場合、当然ながら無線通信Ｃが完了した時点では、クロック誤差を計測するための低速クロックと高速クロックとのカウントは途中となる。そこで、この途中のカウント値が誤差保持部２２１で保持される。
【００３０】
そして、無線通信Ｃを開始する通信デバイス２０１〜２０３は、誤差保持部２２１にカウント途中のカウント値が保持されているかを確認し、保持されている場合は、そのカウント値が取得される。
【００３１】
すると、この取得されたカウント値からクロック誤差を計測するための低速クロックと高速クロックとのカウントが開始される。このため、クロック誤差の計測に必要な所定時間が無線通信Ｃの所用時間より長時間でも、その無線通信Ｃでの高速クロックの発生を延長することなくクロック誤差が計測される。
【００３２】
このように計測されたクロック誤差は誤差保持部２２１で保持され、この時点で誤差保持部２２１に保持されていたカウント途中のカウント値はリセットされる。そこで、この誤差保持部２２１で保持されたクロック誤差により複数の通信デバイス２０１〜２０３でタイミング検出が補正される。
【００３３】
また、上述のようにクロック誤差が検出されてカウント途中のカウント値がリセットされると、複数の通信デバイス２０１〜２０３による時分割なクロック誤差の計測が再開される。
【００３４】
本実施の形態の携帯通信端末２００では、上述のように高速クロックによる低速クロックのクロック誤差の計測は、複数の通信デバイス２０１〜２０３で時分割に実行される。
【００３５】
このため、着呼確認などの無線通信Ｃは完了しているのに、クロック誤差を検出するために高速クロックの発生を継続する必要がないので、消費電力を低減することができる。
【００３６】
しかも、検出されたクロック誤差は誤差保持部２２１で保持されるので、複数の通信デバイス２０１〜２０３により検出されたクロック誤差を、複数の通信デバイス２０１〜２０３で共用することができる。
【００３７】
さらに、複数の通信デバイス２０１〜２０３は、低速クロックの周波数が共通しているとともに高速クロックの周波数が共通している。このため、低速クロックと高速クロックとのカウントを複数の通信デバイス２０１〜２０３で時分割に実行することを、簡単に実行することができる。
【００３８】
なお、本発明は本実施の形態に限定されるものではなく、その要旨を逸脱しない範囲で各種の変形を許容する。例えば、上記形態では検出されたクロック誤差が誤差保持部２２１で保持されて複数の通信デバイス２０１〜２０３で共用されることを例示した。
【００３９】
しかし、クロック誤差の検出を毎回相違する通信デバイス２０１〜２０３で完了させ、その通信デバイス２０１〜２０３のみ検出したクロック誤差による補正が実行されてもよい。
【００４０】
この場合、複数の通信デバイス２０１〜２０３でのクロック誤差による補正の頻度は低下するが、複数の通信デバイス２０１〜２０３が共用の誤差保持部２２１に頻繁にアクセスする必要を解消することができる。
【００４１】
また、上記形態ではクロック誤差の検出が完了するごとに再開されることを例示した。しかし、クロック誤差の計測のための低速カウンタ部２１２および高速カウンタ部２１４によるカウントと誤差計測部２１５による計測とカウント補正部による補正と誤差保持部２２１による保持とを、誤差リセット部(図示せず)により所定タイミングごとにリセットしてもよい。
【００４２】
この場合、複数の通信デバイス２０１〜２０３でのクロック誤差による補正の頻度を所望により設定することができる。前述のように低速クロックの変動は温度変化などに依存するため、実際には所定タイミングごとで充分である。
【００４３】
また、上記形態では低速クロックを発生する低速発生部２１１と高速クロックを発生する高速発生部２１３とが通信デバイス２０１〜２０３に内蔵されていることを例示した。
【００４４】
しかし、低速クロックや高速クロックが複数の通信デバイス２０１〜２０３で共通しているならば、通信デバイス２０１〜２０３の外部のクロックデバイスで低速クロックや高速クロックを発生させてもよい。
【００４５】
その場合、通信デバイス２０１〜２０３の低速発生部２１１と高速発生部２１３とは、外部から低速クロックおよび高速クロックを取得することで内部に発生させることになる。
【００４６】
さらに、当然ながら、上述した実施の形態および複数の変形例は、その内容が相反しない範囲で組み合わせることができる。
【図面の簡単な説明】
【００４７】
【図１】本発明の実施の形態の携帯通信端末の要部の回路構造を示すブロック図である。
【図２】複数の通信デバイスの並列動作を示す模式的なタイムチャートである。
【図３】一従来例の携帯通信端末の要部の回路構造を示すブロック図である。
【図４】複数の通信デバイスの並列動作を示す模式的なタイムチャートである。
【符号の説明】
【００４８】
１００    携帯通信端末
１２１    低速発生部
１２２    低速カウンタ部
１２３    高速発生部
１２４    高速カウンタ部
１２５    誤差計測部
１２６    誤差保持部
２００    携帯通信端末
２０１〜２０３    通信デバイス
２１１    低速発生部
２１２    低速カウンタ部
２１３    高速発生部
２１４    高速カウンタ部
２１５    誤差計測部
２２１    誤差保持部
Ｃ    無線通信
【図１】
2008166961.tif 000003
【図２】
2008166961.tif 000004
【図３】
2008166961.tif 000005
【図４】
2008166961.tif 000006